(57)【要約】【課題】喫煙者が出入りしても、内部で発生した煙草の煙が外部へ流出しにくい喫煙ボックスを提供する。【解決手段】室内等の、喫煙が禁止された非喫煙空間内に設置され、周囲を壁部によって取り囲まれるとともに内部が負圧状態に保持され、その内部において喫煙が許可された喫煙空間を備える。また、喫煙空間と非喫煙空間との間に設けられ、喫煙空間への出入りをするための通路となる連絡空間を備える。そして、連絡空間への出入り口をなすとともに喫煙空間において発生した煙草の煙を遮蔽する、第一遮蔽手段および第二遮蔽手段を備える。【選択図】図１
2006328842.tif 000002
【特許請求の範囲】
【請求項１】
室内等の、喫煙が禁止された非喫煙空間内に設置され、周囲を壁部によって取り囲まれるとともに内部が負圧状態に保持され、その内部において喫煙が許可された喫煙空間と、
その喫煙空間と前記非喫煙空間との間に設けられ、前記喫煙空間への出入りをするための通路となる連絡空間と、
前記喫煙空間と前記連絡空間との間に配置され、前記喫煙空間への出入口をなすとともに、前記喫煙空間において発生した煙草の煙を遮蔽する第一遮蔽手段と、
前記非喫煙空間と前記連絡空間との間に配置され、前記連絡空間への出入口をなすとともに、前記喫煙空間において発生した煙草の煙を遮蔽する第二遮蔽手段と、
を備えることを特徴とする喫煙ボックス。
【請求項２】
前記第一遮蔽手段には第一空気流通孔が形成され、前記第二遮蔽手段には第二空気流通孔が形成され、
前記喫煙空間が負圧状態に保持されていることにより、前記連絡空間から前記第一空気流通孔を通って前記喫煙空間へ煙を含まない空気が流入し、かつ、前記非喫煙空間から前記第二空気流通孔を通って前記連絡空間へ煙を含まない空気が流入する請求項１記載の喫煙ボックス。
【請求項３】
前記第一遮蔽手段と前記第二遮蔽手段は、同時に開放状態にならない請求項１または２記載の喫煙ボックス。
【請求項４】
前記第一遮蔽手段および前記第二遮蔽手段の少なくとも一方は手動扉であり、
前記第一遮蔽手段および前記第二遮蔽手段にはそれぞれ電気式ロック装置が設けられ、その電気式ロック装置は、前記第一遮蔽手段および前記第二遮蔽手段のいずれか一方が開放状態である時に、他方の開錠を禁止する請求項１ないし３のいずれか一項に記載の喫煙ボックス。
【請求項５】
前記第一遮蔽手段および前記第二遮蔽手段の少なくとも一方は自動扉であり、
前記第一遮蔽手段および前記第二遮蔽手段にはそれぞれ電気式ロック装置が設けられ、その電気式ロック装置は、前記第一遮蔽手段および前記第二遮蔽手段のいずれか一方が開放状態である時に、他方の開錠を禁止する請求項１ないし３のいずれか一項に記載の喫煙ボックス。
【請求項６】
前記第一遮蔽手段および前記第二遮蔽手段は、互いに交差した板状部材として形成され、かつその交差軸を鉛直方向に向けられるとともに、回転駆動手段によって前記交差軸を中心として所定方向に回転されることにより、前記喫煙空間へ出入りするための回転扉とされ、
前記連絡空間は、前記交差した板状部材と前記壁部との間に構成されている請求項１ないし３のいずれか一項に記載の喫煙ボックス。
【請求項７】
前記第一遮蔽手段および前記第二遮蔽手段は、前記喫煙空間からの煙が前記連絡空間または前記非喫煙空間へ流出することを防止するエアカーテン発生装置として構成されている請求項１または２に記載の喫煙ボックス。
【請求項８】
前記喫煙空間からの煙が前記連絡空間または前記非喫煙空間へ流出することを防止するエアカーテン発生装置をさらに備える請求項１ないし６のいずれか１項に記載の喫煙ボックス。
【請求項９】
前記エアカーテン発生装置は、前記第一空気流通孔を通って前記喫煙空間へ流入する空気の流れに対して斜めでかつ前記喫煙空間側へエアカーテンを発生させるか、または、前記第二空気流通孔を通って連絡空間へ流入する空気の流れに対して斜めでかつ前記連絡空間側へエアカーテンを発生する請求項８記載の喫煙ボックス。
【請求項１０】
前記喫煙空間内の前記第一遮蔽手段付近に第一の前記エアカーテン発生装置が配置され、前記連絡空間内の前記第二遮蔽手段付近に第二の前記エアカーテン発生装置が配置され、
前記第二のエアカーテン発生装置から送られるエアカーテンには、芳香剤と、煙草の臭いを脱臭する脱臭剤のうち、少なくとも一つが含まれている請求項７ないし９のいずれか１項に記載の喫煙ボックス。
【請求項１１】
室内等の、喫煙が禁止された非喫煙空間内に設置され、周囲を壁部に取り囲まれるとともに内部が負圧状態に保持され、その内部において喫煙が許可された喫煙空間と、
その喫煙空間と前記非喫煙空間との間に設けられ、前記喫煙空間への出入りをするための通路となる連絡空間と、
を備え、前記喫煙空間が負圧状態に保持されている時は常に、
前記非喫煙空間の気圧  ≧  前記連絡空間の気圧  ＞  前記喫煙空間の気圧
となることを特徴とする喫煙ボックス。
【請求項１２】
前記喫煙空間と前記連絡空間の間に配置され、前記連絡空間から前記喫煙空間への出入り口をなすとともに、前記喫煙空間において発生した煙草の煙を遮蔽する第一遮蔽手段と、
前記非喫煙空間と前記連絡空間との間に配置され、前記非喫煙空間から前記連絡空間への出入り口をなすとともに、前記煙が前記非喫煙空間へ流出しないように遮蔽する第二遮蔽手段と、
前記第一遮蔽手段に形成された第一空気流通孔と、
前記第二遮蔽手段に形成された第二空気流通孔と、
を備え、
前記喫煙空間が負圧状態に保持されていることにより、前記連絡空間から前記第一空気流通孔を通って前記喫煙空間へ煙を含まない空気が流入し、かつ、前記非喫煙空間から前記第二空気流通孔を通って前記連絡空間へ煙を含まない空気が流入し、
前記喫煙空間からの煙が前記連絡空間側へ逆流した場合に、その煙が前記非喫煙空間へ流出することを防止するために、前記第一空気流通孔から第二空気流通孔までの距離が、前記第一遮蔽手段から前記第二遮蔽手段までの最短距離よりも遠くなるように、前記第一および第二空気流通孔が形成されている請求項１１記載の喫煙ボックス。
【請求項１３】
前記第一空気流通孔と、前記第二空気流通孔は、それぞれの形状が互いに異なるように形成されている請求項１２記載の喫煙ボックス。
【請求項１４】
前記第一空気流通孔の面積は、前記第二空気流通孔の面積よりも大きくなるようにされている請求項１３記載の喫煙ボックス。
【請求項１５】
前記喫煙空間において発生した煙草の煙を除去する空気清浄機を前記喫煙空間に設けた請求項１ないし１４のいずれか１項に記載の喫煙ボックス。
【請求項１６】
前記喫煙空間を前記負圧状態に保持するための手段は、換気扇および空気清浄機のうち、少なくとも１つからなる請求項１ないし１５のいずれか１項に記載の喫煙ボックス。
【請求項１７】
室内等の、喫煙が禁止された非喫煙空間内に設置され、周囲を壁部と天井部によって直方体形状に取り囲まれるとともに内部が負圧状態に保持され、その内部において喫煙が許可された喫煙空間と、
前記直方体形状に取り囲まれた空間内に設けられ、前記喫煙空間と前記非喫煙空間との間に位置するとともに、前記喫煙空間への出入りをするための通路となる連絡空間と、
前記喫煙空間と前記連絡空間との間に配置され、前記喫煙空間への出入口をなすとともに、前記喫煙空間において発生した煙草の煙を遮蔽する第一遮蔽手段と、
前記非喫煙空間と前記連絡空間との間に配置され、前記連絡空間への出入口をなすとともに、前記喫煙空間において発生した煙草の煙を遮蔽する第二遮蔽手段と、
を備えることを特徴とする喫煙ボックス。
【発明の詳細な説明】
【技術分野】
【０００１】
本発明は、喫煙ボックスに関するものである。
【背景技術】
【０００２】
従来から、オフィスなどの、喫煙が禁止された部屋に設けられ、ガラス板等で周囲と隔離されて、その内部においてのみ喫煙を許可するための喫煙ボックスがある。この喫煙ボックスを用いることにより、内部の空間を外部（オフィス空間）と隔離することができ、そのため、内部で発生した煙草の煙がオフィスへ向かって流出しにくくなる。その結果、煙草を吸わない人へ与える健康被害を少なくすることができる。
【０００３】
例えば下記特許文献１には、内部で喫煙できるようにするためのパーティションルーム（喫煙ボックス）が開示されている。これは、室内等の天井の高さより所定寸法低いパーティションにより所定空間を囲い、そのパーティションに排気ファンを貫設し、該排気ファンによる排気により前記所定空間を負圧状態に保持したものである。
【特許文献１】特開２００２−１６１６００号公報
【発明の開示】
【発明が解決しようとする課題】
【０００４】
しかしながら従来の喫煙ボックスは、喫煙が許可された内部空間へ喫煙者が出入りしようとしてドアを開けた時に、その内部空間からオフィス（非喫煙空間）へ向かって煙草の煙が流出してしまう問題があった。そのため、煙草を吸わない人への健康被害を十分に防止できていなかった。
【０００５】
煙が流出する理由は、以下の原因による。すなわち、従来の喫煙ボックスでは、パーティションに空気流通孔（例えば底面とパーティションの間に設けられた隙間）を予め形成しておき、換気扇などで内部空間を負圧に保持することにより、非喫煙空間から喫煙空間へ向けて例えば０．２ｍ／ｓ程度の空気の流れをつくり、これによって煙が外部へ流出するのを防止しているのであるが、出入り口のドアを開閉すると給気面積が一時的に増加するため、非喫煙空間から喫煙空間への空気の流れが弱まり（０．２ｍ／ｓ未満となり）、その結果、煙が空気流通孔を通って非喫煙空間側へ逆流するのである。
【０００６】
本発明は、上述のような事情を背景になされたもので、特に、喫煙者が出入りしても、内部で発生した煙草の煙が外部へ流出しにくい喫煙ボックスを提供することを課題とする。
【課題を解決するための手段および発明の効果】
【０００７】
この発明は、
室内等の、喫煙が禁止された非喫煙空間内に設置され、周囲を壁部によって取り囲まれるとともに内部が負圧状態に保持され、その内部において喫煙が許可された喫煙空間と、
その喫煙空間と前記非喫煙空間との間に設けられ、前記喫煙空間への出入りをするための通路となる連絡空間と、
前記喫煙空間と前記連絡空間との間に配置され、前記喫煙空間への出入口をなすとともに、前記喫煙空間において発生した煙草の煙を遮蔽する第一遮蔽手段と、
前記非喫煙空間と前記連絡空間との間に配置され、前記連絡空間への出入口をなすとともに、前記喫煙空間において発生した煙草の煙を遮蔽する第二遮蔽手段と、
を備えることを特徴とする喫煙ボックスである。
【０００８】
本発明はこのように、喫煙空間と非喫煙空間（例えばオフィス）の間に設けられた連絡空間と、その連絡空間の出入り口となる第一遮蔽手段および第二遮蔽手段を有する。例えば喫煙者が喫煙ボックス内に入る時には、２つの遮蔽手段の一方を開いて連絡空間に入り、その遮蔽手段を閉じた後、他方の遮蔽手段を開いて喫煙空間へ入る。このため、非喫煙空間から喫煙空間へ向かう空気の、給気面積が一時的に増加するようなことが少なくなり、すなわち、喫煙空間の気圧が上昇しにくくなる。これにより、喫煙空間の煙が逆流しにくくなる。また、喫煙者が喫煙空間に出入りした時に、喫煙空間に充満した煙草の煙が流出したとしても、一旦、連絡空間に煙が滞留することとなる。そのため、喫煙空間から非喫煙空間へ向かって直接、煙草の煙が流出しにくくなり、非喫煙者の健康被害を最小限に抑制できる。
【０００９】
より詳しくは、本発明の喫煙ボックスは、
前記第一遮蔽手段には第一空気流通孔が形成され、前記第二遮蔽手段には第二空気流通孔が形成され、
前記喫煙空間が負圧状態に保持されていることにより、前記連絡空間から前記第一空気流通孔を通って前記喫煙空間へ煙を含まない空気が流入し、かつ、前記非喫煙空間から前記第二空気流通孔を通って前記連絡空間へ煙を含まない空気が流入している。
上記第一空気流通孔および第二空気流通孔とは、例えば、第一遮蔽手段および第二遮蔽手段と、床面との間に形成した隙間や、もしくは床面近くに形成した貫通孔を指す。つまり、第一および第二流通孔を設け、かつ喫煙空間が負圧状態に保持されているため、非喫煙空間から煙を含まない空気が第一および第二流通孔を通って喫煙空間へ流入するのである。これにより、一定の流速（例えば０．２ｍ／ｓ）の空気が常に喫煙空間へ流れ込み、連絡空間に滞留した煙は喫煙空間へ吸い込まれるようになっている。
【００１０】
一方、上記第一および第二遮蔽手段は例えば半自動扉になっていて、開ける時には手動で開ける必要があるが、手を離すと内部に設けられたバネの力などによって自動的に閉じる。そのため、扉が開きっぱなしにならない。
【００１１】
また、本発明は、
前記第一遮蔽手段と前記第二遮蔽手段は、同時に開放状態にならない喫煙ボックス
とすることができる。すなわち、せっかく連絡空間を設けても、第一遮蔽手段と第二遮蔽手段が同時に開いたら、喫煙空間に充満した煙が外部へ流出してしまう。これは例えば、一方の喫煙者が第一遮蔽手段を開き、それと同時に他方の喫煙者が第二遮蔽手段を開いた場合に起こりえる。そのため、一方の遮蔽手段が開放している間は、他方の遮蔽手段が開かない機構を設けるとよい。
【００１２】
そのような機構は、より詳しくは、
前記第一遮蔽手段および前記第二遮蔽手段の少なくとも一方は手動扉であり、
前記第一遮蔽手段および前記第二遮蔽手段にはそれぞれ電気式ロック装置が設けられ、その電気式ロック装置は、前記第一遮蔽手段および前記第二遮蔽手段のいずれか一方が開放状態である時に、他方の開錠を禁止する喫煙ボックス
とすることにより、達成できる。
【００１３】
また、
前記第一遮蔽手段および前記第二遮蔽手段の少なくとも一方は自動扉であり、
前記第一遮蔽手段および前記第二遮蔽手段にはそれぞれ電気式ロック装置が設けられ、その電気式ロック装置は、前記第一遮蔽手段および前記第二遮蔽手段のいずれか一方が開放状態である時に、他方の開錠を禁止する喫煙ボックス
としてもよい。
【００１４】
さらに、非喫煙空間と喫煙空間の間に回転扉を設けるようにしてもよい。例えば、
前記第一遮蔽手段および前記第二遮蔽手段は、互いに交差した板状部材として形成され、かつその交差軸を鉛直方向に向けられるとともに、回転駆動手段によって前記交差軸を中心として所定方向に回転されることにより、前記喫煙空間へ出入りするための回転扉とされ、
前記連絡空間は、前記交差した板状部材と前記壁部との間に構成されている喫煙ボックス
とすることができる。この場合、第一遮蔽手段および第二遮蔽手段としての板状部材によって囲まれた空間が連絡空間となっており、その連絡空間が回転移動している、と考えることができる。
【００１５】
一方、本発明は、
前記第一遮蔽手段および前記第二遮蔽手段は、前記喫煙空間からの煙が前記連絡空間または前記非喫煙空間へ流出することを防止するエアカーテン発生装置として構成されている喫煙ボックス
としてもよい。エアカーテン発生装置は外部の空気を取り込んで送風することにより、エアカーテンを発生させている。本発明は、第一および第二遮蔽手段として、このエアカーテン発生装置を用いることができる。このエアカーテン発生装置は、例えば喫煙空間内の第一遮蔽手段付近の天井部分に配置することができる。喫煙者が第一遮蔽手段を開閉した場合には、その開閉動作によって喫煙空間内の煙が攪拌され、煙が上記連絡空間へ流出しやすくなるのであるが、エアカーテンを発生することにより、強制的な空気の流れを作り、煙の攪拌や流出を抑制することが可能となる。これにより、非喫煙空間へ流出する煙を一層、減少させることができる。
【００１６】
また、
前記喫煙空間からの煙が前記連絡空間または前記非喫煙空間へ流出することを防止するエアカーテン発生装置をさらに備える喫煙ボックス
としてもよい。すなわち、扉としての第一および第二遮蔽手段と、エアカーテン発生装置を併用してもよい。
【００１７】
なお、上記エアカーテン発生装置は、連絡空間内の第二遮蔽手段付近の天井部分に配置してもよい。また、喫煙空間と連絡空間にそれぞれエアカーテン発生装置を別個に設けると、煙の攪拌や流出を２重に防止することができ、非喫煙空間へ流出する煙がさらに少なくなる。
【００１８】
また、本発明は、
前記エアカーテン発生装置は、前記第一空気流通孔を通って前記喫煙空間へ流入する空気の流れに対して斜めでかつ前記喫煙空間側へエアカーテンを発生させるか、または、前記第二空気流通孔を通って連絡空間へ流入する空気の流れに対して斜めでかつ前記連絡空間側へエアカーテンを発生する喫煙ボックス
である。上記エアカーテンは、例えば天井付近に配置されており、床面方向に向けてエアカーテンを発生させている。そしてこのエアカーテンは、各流通孔を通る空気の流れに対して斜め内側を向いている。つまり、エアカーテンには煙が巻き込まれるのであるが、エアカーテンが斜め内側を向いているために、その煙が各流通孔から逆流しにくくなるのである。
【００１９】
なお、このエアカーテンの送風速度は、各流通孔を通る空気の流入速度よりも遅くなるように調整することが望ましい。エアカーテンの送風速度が速いと、煙の混じった空気が各流通孔から逆流しやすくなる。
【００２０】
さらに、
前記喫煙空間内の前記第一遮蔽手段付近に第一の前記エアカーテン発生装置が配置され、前記連絡空間内の前記第二遮蔽手段付近に第二の前記エアカーテン発生装置が配置され、
前記第二のエアカーテン発生装置から送られるエアカーテンには、芳香剤と、煙草の臭いを脱臭する脱臭剤のうち、少なくとも一つが含まれている喫煙ボックス
としてもよい。このようにすると、喫煙空間から喫煙者が出てきた時に、煙草の臭いを効果的に消すことができる。
【００２１】
一方、本発明は見方を変えると、
室内等の、喫煙が禁止された非喫煙空間内に設置され、周囲を壁部に取り囲まれるとともに内部が負圧状態に保持され、その内部において喫煙が許可された喫煙空間と、
その喫煙空間と前記非喫煙空間との間に設けられ、前記喫煙空間への出入りをするための通路となる連絡空間と、
を備え、前記喫煙空間が負圧状態に保持されている時は常に、
前記非喫煙空間の気圧  ≧  前記連絡空間の気圧  ＞  前記喫煙空間の気圧
となることを特徴とする喫煙ボックス
と言うことができる。つまり、喫煙空間の気圧が非喫煙空間の気圧と完全に等しくなることがなく、常に喫煙空間の気圧の方が低いのである。上述のように、喫煙空間と非喫煙空間の間に連絡空間を設けることにより、気圧の状態を常にこのようにすることができる。従来の喫煙ボックスでは連絡空間が存在せず、扉一枚を開けることにより喫煙空間へ入ることができた。そのため、扉を開いた際に喫煙空間の気圧が上昇して非喫煙空間側の気圧と等しくなり、煙が流出していた。しかしながら上記発明によって、常に喫煙空間の気圧を低くできるので、煙が外部へ流出しにくくなるのである。
【００２２】
さらに本発明は、
前記喫煙空間と前記連絡空間の間に配置され、前記連絡空間から前記喫煙空間への出入り口をなすとともに、前記喫煙空間において発生した煙草の煙を遮蔽する第一遮蔽手段と、
前記非喫煙空間と前記連絡空間との間に配置され、前記非喫煙空間から前記連絡空間への出入り口をなすとともに、前記煙が前記非喫煙空間へ流出しないように遮蔽する第二遮蔽手段と、
前記第一遮蔽手段に形成された第一空気流通孔と、
前記第二遮蔽手段に形成された第二空気流通孔と、
を備え、
前記喫煙空間が負圧状態に保持されていることにより、前記連絡空間から前記第一空気流通孔を通って前記喫煙空間へ煙を含まない空気が流入し、かつ、前記非喫煙空間から前記第二空気流通孔を通って前記連絡空間へ煙を含まない空気が流入し、
前記喫煙空間からの煙が前記連絡空間側へ逆流した場合に、その煙が前記非喫煙空間へ流出することを防止するために、前記第一空気流通孔から第二空気流通孔までの距離が、前記第一遮蔽手段から前記第二遮蔽手段までの最短距離よりも遠くなるように、前記第一および第二空気流通孔が形成されている喫煙ボックス
とすることができる。例えば、第一空気流通孔を床面近くに形成し、第二空気流通孔を天井近くに形成することができる。このようにすると、仮に、喫煙空間内の煙が第一空気流通孔を通って連絡空間へ逆流したとしても、第一空気流通孔と第二空気流通孔の距離が遠いために、逆流した煙が移動するのに時間がかかり、喫煙空間側へ漏れ出しにくくなる。
【００２３】
さらに本発明は、
前記第一空気流通孔と、前記第二空気流通孔は、それぞれの形状が互いに異なるように形成されている喫煙ボックス
とすることができる。このようにすると、喫煙空間からの煙が逆流しにくくなる。
【００２４】
また、本発明は、
前記第一空気流通孔の面積は、前記第二空気流通孔の面積よりも大きくなるようにされている喫煙ボックス
としてもよい。これによると、連絡空間から第一空気流通孔を通って喫煙空間へ入る空気の流通速度は、非喫煙空間から第二空気流通孔を通って連絡空間へ入る空気の流通速度よりも遅くなる。すなわち、喫煙空間から煙が第一空気流通孔を通って連絡空間へ逆流したとしても、第二空気流通孔における空気流入速度が速いので、その煙が非喫煙空間へ流出しにくくなるのである。
【００２５】
さらに本発明は、
前記喫煙空間において発生した煙草の煙を除去する空気清浄機を前記喫煙空間に設けた喫煙ボックス
とすることができる。これにより、喫煙空間における煙を少なくでき、外部に流出する煙の量を少なくできる。
【００２６】
また、本発明は、
前記喫煙空間を前記負圧状態に保持するための手段は、換気扇および空気清浄機のうち、少なくとも１つからなる喫煙ボックス
とすることができる。特に、換気扇と空気清浄機を両方とも用いると、吸気能力が合わさって、効果的に喫煙空間を負圧にすることができる。
【００２７】
さらに本発明は、
室内等の、喫煙が禁止された非喫煙空間内に設置され、周囲を壁部と天井部によって直方体形状に取り囲まれるとともに内部が負圧状態に保持され、その内部において喫煙が許可された喫煙空間と、
前記直方体形状に取り囲まれた空間内に設けられ、前記喫煙空間と前記非喫煙空間との間に位置するとともに、前記喫煙空間への出入りをするための通路となる連絡空間と、
前記喫煙空間と前記連絡空間との間に配置され、前記喫煙空間への出入口をなすとともに、前記喫煙空間において発生した煙草の煙を遮蔽する第一遮蔽手段と、
前記非喫煙空間と前記連絡空間との間に配置され、前記連絡空間への出入口をなすとともに、前記喫煙空間において発生した煙草の煙を遮蔽する第二遮蔽手段と、
を備えることを特徴とする喫煙ボックス
である。このように、壁部と天井部によって取り囲まれた直方体形状の空間内に、喫煙空間と連絡空間を設けると、連絡空間が外部に突出しないので、コンパクトな喫煙ボックスとなる。
【発明を実施するための最良の形態】
【００２８】
以下、本発明の実施形態を、図面を参照しながら説明する。
図１Ａは本発明に係る喫煙ボックス１の斜視図であり、図１Ｂは同じく横断面図である。このように喫煙ボックス１は、オフィス等の、喫煙が禁止された非喫煙空間２に設置されており、内部の喫煙空間３でのみ喫煙が許可されている。この喫煙空間３は壁部５および天井板Ｃによって非喫煙空間２から隔離されるとともに、負圧手段１３（換気扇や空気清浄機など）によって煙１８が吸い出され、内部が負圧状態に保持される。また、壁部５と床面の間には僅かに隙間１１が形成されていて、非喫煙空間２から隙間１１を通って気圧の低い喫煙空間３へ、煙を含まない空気１０が流入する。空気１０の流入速度は、例えば０．２ｍ／ｓ程度とされており、この空気の流れによって、喫煙空間３内で発生した煙が非喫煙空間２へ流出しにくくなる。
【００２９】
また、この喫煙ボックス１には、喫煙空間３へ出入りをするための通路となる連絡空間４が形成されている。より詳しくは、この連絡空間４は、壁部５と、内部仕切り５’と、天井板Ｃと、第一遮蔽手段６と、第二遮蔽手段７によって囲まれており、喫煙者１２が非喫煙空間２から喫煙空間３へ入るためには、第二遮蔽手段７を開けて一旦、連絡空間４に入り、その後で第一遮蔽手段６を開けて喫煙空間３へ入る必要がある。
【００３０】
従来の喫煙ボックス１０１では、図１１Ａの従来例に示すように、１枚のドア１０７を開閉するだけで喫煙空間１０３に出入りできる構造になっていたため、喫煙者１１２がドア１０７を開けると、喫煙空間１０３への吸気面積が一時的に増え、その結果、内部の気圧が上昇して煙１１８が逆流する問題があった（図１１Ｂ）。また、開放されたドア１０７からも直接、煙１１８が出てしまう問題もあった。それに対して本発明の喫煙ボックス１は、図１に示すように、２つの遮蔽手段（第一遮蔽手段６および第二遮蔽手段７）を備えているため、そのどちらか一方を開けても内部の気圧が上昇することがなく、従って、煙１８が非喫煙空間２へ逆流することを防止できる。
【００３１】
一方、図１に示すように、壁部５によって全体を直方体に形成し、その中に喫煙空間３と連絡空間４を設けるとよい。つまり、連絡空間４が喫煙空間３から突出しない形にするのである。このようにすると、喫煙ボックス１を製造する際に、その製造作業が楽になるばかりでなく、オフィスなどに喫煙ボックス１を配置した場合にコンパクトになってよい。
【００３２】
次に、本発明に係る喫煙ボックス１の使用方法を、図２〜図４を用いて説明する。状態図Ａ（図２）に示すように、壁部５によって取り囲まれた喫煙空間３において喫煙者１２ａが煙草を吸っていると、煙１８が発生するのであるが、その煙１８は負圧手段１３によって吸い出され、ホース１４を通ってダクト１５へ送られ、さらに屋外へ排気される。また、負圧手段１３が稼動することにより、喫煙空間３は負圧状態となるため、非喫煙空間２から、煙を含まない空気１０が空気流通孔１１を通って内部に入り込む。この空気流１０のため、非喫煙空間２の煙１８は非喫煙空間２へ出にくい。
【００３３】
第一遮蔽手段６の下部には第一空気流通孔８が形成されており、連絡空間４の空気が第一空気流通孔８を通って喫煙空間３へ流入（空気流１６）する。さらに、第二遮蔽手段７の下部には第二空気流通孔９が形成されており、非喫煙空間２の空気が第二空気流通孔９を通って連絡空間４へ流入（空気流１７）する。
【００３４】
一方、他の喫煙者１２ｂが喫煙空間へ入るためには、状態図Ｂ（図２）に示すように、まず第二遮蔽手段７を開ける必要がある。この際、第一遮蔽手段６が閉じているので、喫煙空間３への給気面積は増加せず、従って、喫煙空間３は負圧状態に保持されたままとなる。その後、状態図Ｃ（図３）に示すように、喫煙者１２ｂは連絡空間４に入って、第二遮蔽手段７を閉じる。
【００３５】
さらに、状態図Ｄ（図３）に示すように、喫煙者１２ｂは第一遮蔽手段６を開けて喫煙空間３へ入る。この時、喫煙空間３の煙１８が連絡空間４へ拡散するものの、第二遮蔽手段７が閉じているので、喫煙空間３は負圧状態に保持されたままであり、従って、空気流通孔１１から煙１８が逆流することは殆どない。
【００３６】
その後、状態図Ｅ（図４）のように、喫煙者１２ｂは喫煙空間３へ入って第一遮蔽手段６を閉じ、喫煙を開始する。この時、少し前に喫煙者１２ｂが第一遮蔽手段６を開閉したために、煙１８’が拡散し、連絡空間４に一時的に滞留している。しかしこの煙１８’は、暫くすると喫煙空間３側へ吸い込まれることとなる。その理由は、上述したように、第一遮蔽手段６に形成された第一空気流通孔を通って、煙１８’が喫煙空間３へ流入するためである。その代わりに煙を含まない空気流１７が第二空気流通孔９から流入するので、連絡空間４内の煙１８’は次第に消失する（状態図Ｆ）。これにより、さらに他の喫煙者が入ってきて、第二遮蔽手段７を開けたとしても、連絡空間４から非喫煙空間２へ向かって煙１８’が流出しにくくなる。
【００３７】
一方、電気式ロック装置を設けて、第一遮蔽手段６および第二遮蔽手段７が同時に開放されないように制御することができる。電気式ロック装置は例えばマイコンによって制御できる。その動作を、図５のフローチャートを用いて説明する。まず、ステップ処理Ｓ１において第一遮蔽手段６が開放しているか否かを判断する。喫煙者が第一遮蔽手段６を開けた場合はＹとなり、ステップ処理Ｓ２へ進む。ステップ処理Ｓ２では第二遮蔽手段Ｓ２をロックすることにより、第一遮蔽手段６が開放している時は第二遮蔽手段を開けることができないようにする。その後、ステップ処理Ｓ３において、喫煙者が第一遮蔽手段６を閉じたかどうか判断し、閉じた場合にはＹと判断してステップ処理Ｓ４へ進む。ステップ処理Ｓ４では、第二遮蔽手段７をロック解除する。一方、ステップ処理Ｓ１においてＮ（第一遮蔽手段６が閉じられている）と判断した場合は、ステップ処理Ｓ５に移る。ステップ処理Ｓ５では第二遮蔽手段が開放しているか否かを判断し、Ｙの場合はステップ処理Ｓ６〜Ｓ８へ進む。また、ステップ処理Ｓ５においてＮ（第二遮蔽手段７が閉じられている）と判断された場合は、ステップ処理Ｓ１に戻る。すなわち、各遮蔽手段６，７がどちらも閉じられている時には、ステップ処理Ｓ１およびＳ５の処理を交互に、略同時的に行うこととなる。
【００３８】
なお、上記フローチャートでは、ステップ処理Ｓ３においてＹと判断された後、直ぐにステップ処理Ｓ４を実行してロック解除しているが、一定の時間、ロック解除を禁止することもできる。つまり、電気式ロック装置にタイマーを設けておき、予め決められた時間、第二遮蔽手段７をロック解除できないようにするのである。このようにすると、非喫煙空間２へ流出する煙の量をさらに少なくできる。すなわち、図６Ａに示すように、喫煙者１２ａが喫煙空間３から出るために第一遮蔽手段６を開けると、煙１８’が連絡空間４へ拡散するのであるが、第一遮蔽手段６を閉じて暫く待機（ロック解除禁止時間）することにより、空気流１６，１７によって煙１８’が喫煙空間３へ吸い込まれる。連絡空間４内の煙１８’が減少した後でロック解除禁止時間が終了し、第二遮蔽手段７を開放できるようになる。これにより、第二遮蔽手段７を開けた時に非喫煙領域２へ流出する煙１８’の量を減らせる。
【００３９】
つまり、上記電気式ロック装置は、第一遮蔽手段６が開放された後、第二遮蔽手段７の開放を所定時間だけ禁止することにより、連絡空間に滞留した煙１８’を消失ないし低減させる、開放禁止手段として動作しているのである。
【００４０】
なお、図６の実施形態では、喫煙者１２ａが外に出る場合について説明したが、他の場合でも同様の効果を奏する。例えば、状態図Ｄ〜Ｅ（図３，４）に示すように、喫煙者１２ｂが喫煙空間３へ入った後、続けて別の喫煙者（図示しない）が第二遮蔽手段７を開けようとしても、開放禁止手段によってロックされているので開けることができなくなる。このため、連絡空間４内の煙１８’が非喫煙空間２へ流出することを防止できる。
【００４１】
次に、本発明に係る喫煙ボックスの他の実施形態について説明する。図７Ａは回転扉２０を用いた実施形態であり、図７Ｂはその回転扉２０の拡大横断面図である。板材としての第一，第二遮蔽手段６，７は互いに交差しており、その交差軸Ａが鉛直方向を向くように配置されている。第一，第二遮蔽手段６，７は、交差軸Ａを中心として、回転駆動手段（図示しない）によって所定方向に回転される。一方、第一，第二遮蔽手段６，７の周囲には円弧状部材１９（壁部５の一部）が位置しており、この回転する第一，第二遮蔽手段６，７と円弧状部材１９によって取り囲まれた空間が連絡空間４になっている。円弧状部材１９には２箇所の出入口Ｅ１，Ｅ２が形成されており、喫煙者２１はこの出入口Ｅ１，Ｅ２を通って喫煙空間３へ出入りする。なお、各遮蔽手段６，７と床面との間には隙間（図示しない）が形成され、その隙間を通って非喫煙空間２から連絡空間４へ空気が流れる（空気流１７）。各遮蔽手段６，７の回転に伴って内部の煙が連絡空間４へ巻き込まれても、空気流１７によって煙は喫煙空間３側へ押し戻される。
【００４２】
本発明の喫煙ボックス１は、図８Ａに示すように、エアカーテン発生装置２１ａを設けることにより、さらに煙の流出を抑制することが可能となる。図８Ａの実施形態では２つのエアカーテン発生装置２１ａ，２１ｂを配置しており、そのうち第一エアカーテン発生装置２１ａは、喫煙空間３内の、第一遮蔽手段６に近い天井部分に設けられている。また、第二エアカーテン発生装置２１ｂは、連絡空間４内の、第二遮蔽手段７に近い天井部分に設けられている。このようにすると、例えば喫煙者１２ｂが第一遮蔽手段６を開けた場合でも、エアカーテン２２ａによって喫煙空間３内の煙１８がブロックされ、連絡空間４へ煙１８が流出しにくくなる。また、連絡空間４に多少の煙が入ったとしても、第二遮蔽手段７側のエアカーテン２２ｂによって煙がブロックされるので、非喫煙室側へ流出する煙は少ない。なお、これらのエアカーテン２２ａ，２２ｂは床面に当たって方向転換するのであるが、空気流１６，１７が床面近くから入り込んでくるために、エアカーテン２２ａ，２２ｂは喫煙室側へ押され、その結果、煙を巻き込んだエアカーテン２２ａ，２２ｂが各空気流通孔８，９から逆流しにくくなる。
【００４３】
エアカーテン２２ａ，２２ｂにおける空気の流通速度は、空気流１６，１７の速度よりも遅くなるように、予め設定しておくことが望ましい。このようにすると、エアカーテン２２ａ，２２ｂが煙を巻き込んだ後に、床面に当たって方向転換したとしても、空気流１６，１７の速度の方が速いため、そのエアカーテン２２ａ，２２ｂが喫煙空間３側へ押し戻されやすくなる。これにより、煙１８を閉じ込める効率がさらに高くなる。
【００４４】
エアカーテン２２ａ，２２ｂは、図９に示すように、空気流１６，１７に対して斜めを向くように、喫煙空間３側へ向けて放出することが望ましい。エアカーテン２２ａ，２２ｂを斜めに向けて放出すると、床面に当たったエアカーテン２２ａ，２２ｂが、各空気流通孔８，９から一層、流出しにくくなる。図９の実施形態では、エアカーテン２２ａ，２２ｂを鉛直方向（鉛直線ＶＬ）に対して５°〜３０°の範囲で傾斜させることが望ましい。傾斜角度θが５°未満だと上記効果を十分に発揮できなくなり、３０°を超えるとエアカーテンが横向きに近くなってくるため、実質的に喫煙できる空間が狭くなってしまう。なお、傾斜角度θは、より望ましくは、１０°から２５°の範囲である。
【００４５】
以上説明した実施形態では、第一および第二空気流通孔８，９を両方とも床面近くに形成したが、図９Ｂに示すように、第二空気流通孔９を天井付近に形成するようにしてもよい。このようにすると、喫煙空間３の煙１８が何らかの影響により第一空気流通孔８から流出したとしても、第二空気流通孔９までの距離が遠いので、煙１８が移動しにくくなる。その結果、第二空気流通孔９から煙１８が一層、漏れにくくなる。
【００４６】
なお、図１０Ａ〜Ｃに示すように、第一空気流通孔８の面積を第二空気流通孔９の面積よりも大きくするとよい。このようにすると、非喫煙空間２から連絡空間４へ向かう空気流１７の速度は相対的に速くなり、連絡空間４から喫煙空間３へ向かう空気流１６の速度は相対的に遅くなる。その結果、喫煙空間３の煙１８が何らかの影響により第一空気流通孔８から流出したとしても、非喫煙空間２からの空気流１７の速度が速いので、非喫煙空間へ向かって煙１８が流出しにくくなる。
【００４７】
本発明は、見方を変えると、内部の気圧が常に以下のように保たれる喫煙ボックスである、ということができる。
非喫煙空間の気圧  ≧  連絡空間の気圧  ＞  喫煙空間の気圧
すなわち、図３に戻って説明すると、喫煙者１２ｂが第一遮蔽手段６を開けた場合には、連絡空間４の気圧と喫煙空間３は限りなく近くなるが、喫煙空間３側は負圧手段１３によって空気が吸い込まれているので、依然として喫煙空間３の方が気圧は低い。すなわち、図３の状態図Ｄにおいても、
連絡空間の気圧  ＞  喫煙空間の気圧
が成り立つ。一方、図２の状態図Ａに示すように、第一遮蔽手段６および第二遮蔽手段７が両方とも閉じている場合には、第一空気流通孔から空気が吸引されるので、連絡空間４の方が非喫煙空間２よりも気圧が低い。また、図２の状態図Ｂに示すように、喫煙者１２ｂが第二遮蔽手段７を開けた場合には、連絡空間４の気圧と非喫煙空間２の気圧は等しくなる。従って、
非喫煙空間の気圧  ≧  連絡空間の気圧
が常に成り立つ。こうしてみると、常に
非喫煙空間の気圧  ≧  連絡空間の気圧  ＞  喫煙空間の気圧
となっているため、気圧の高い場所（非喫煙空間２）から気圧の低い場所（喫煙空間３）へ向けて空気が常に流れ込み、内部の煙が流出しにくい構造になっているといえる。
【００４８】
なお、上記各図において示された負圧手段１３は、換気扇または空気清浄機を用いて構成することができる。換気扇と空気清浄機を併用してもよい。換気扇と空気清浄機を併用すると、それぞれの持つ吸気力が合成されるので、喫煙空間３をより効果的に負圧状態にすることができる。
【図面の簡単な説明】
【００４９】
【図１】本発明に係る喫煙ボックス１の（Ａ）斜視図（Ｂ）横断面図。
【図２】喫煙者１２ｂが喫煙ボックス１へ入る時の過程を示す状態図。
【図３】図２に続く図。
【図４】図３に続く図。
【図５】第一遮蔽手段６および第二遮蔽手段７に設けられた電気式ロック装置の動作を示すフローチャート。
【図６】喫煙者１２ａが喫煙空間３から出る場合の状態図。
【図７】回転ドア２０を利用した実施形態。
【図８】エアカーテン発生装置２１ａ，２１ｂを用いた実施形態。
【図９】（Ａ）エアカーテン２２ａ，２２ｂを斜め方向に向けた実施形態。（Ｂ）第一空気流通孔８と第二空気流通孔９の距離を遠くした実施形態。
【図１０】第一空気流通孔８の面積を第二空気流通孔９の面積よりも大きくした実施形態における、（Ａ）縦断面図（Ｂ）第二遮蔽手段７の正面図（Ｃ）第一遮蔽手段６の正面図。
【図１１】従来例における、（Ａ）ドア１０７を閉じた状態（Ｂ）ドア１０７を開いた状態
【符号の説明】
【００５０】
１  喫煙ボックス
２  非喫煙空間
３  喫煙空間
４  連絡空間
５  壁部
６  第一遮蔽手段
７  第二遮蔽手段
８  第一空気流通孔
９  第二空気流通孔
１０  空気流通孔１１を通る空気流
１２  喫煙者
１３  負圧手段（換気扇、空気清浄機）
１６  第一空気流通孔８を通る空気流
１７  第二空気流通孔９を通る空気流
１８  煙
１８’連絡空間４に滞留した煙
１９  円弧状部
２０  回転扉
２１ａ，２１ｂ  エアカーテン発生装置
２２ａ，２２ｂ  エアカーテン
【図１】
2006328842.tif 000003
【図２】
2006328842.tif 000004
【図３】
2006328842.tif 000005
【図４】
2006328842.tif 000006
【図５】
2006328842.tif 000007
【図６】
2006328842.tif 000008
【図７】
2006328842.tif 000009
【図８】
2006328842.tif 000010
【図９】
2006328842.tif 000011
【図１０】
2006328842.tif 000012
【図１１】
2006328842.tif 000013